(57)【要約】      （修正有）【課題】毛髪などがほぼ１回で掬える、効果的な浴槽内毛髪ごみ掬い網を提供する。【解決手段】保持部１に支点を介して複数のシャフト２を放射線状に広げることができるように設け、このシャフトを広げた状態でシャフト先端部に掬い網４を張設した。【選択図】図１
2004209000.tif 000002
【特許請求の範囲】
【請求項１】
保持部に支点を介して複数のシャフトを放射線状に広げることができるように設け、このシャフトを広げた状態でシャフト先端部に掬い網を張設した浴槽内毛髪ごみ掬い網。
【請求項２】
保持部に支点を介して複数の長さ調整可能なシャフトを放射線状に広げることができるように設け、このシャフトを広げた状態でシャフト先端部に掬い網を張設した浴槽内毛髪ごみ掬い網。
【発明の詳細な説明】
【０００１】
【発明が属する技術分野】
この発明は、浴槽内の毛髪やごみ等を簡単に掬う、浴槽内毛髪ごみ掬い網に関するものである。
【０００２】
【従来の技術】
浴槽内の毛髪やごみ等を掬い上げる製品がありますが、掬い上げる面積が小さいために、浴槽内で何回も掬い上げなければならない、又この時毛髪やごみ等は浮遊移動して掬えないことも多々あり取り除きは容易でない。
【０００３】
【発明が解決しようとする課題】
（イ）浮遊している毛髪やごみ等を、ほぼ一回で掬えるように掬い網部分を大きくする。
（ロ）広がった掬い網部分を畳んで小スペースで置くことができるようにする。
（ハ）異なるサイズの浴槽に使えるように、シャフトの長さを調節して掬い網の大きさを調整できるようにする。
（ニ）掬い網は毛髪やごみ等を掬い易いようにすること。
（ホ）掬い網部分が破れたとき簡単に交換できるようにすること。
（ヘ）掬った毛髪ごみ等を、簡単に洗い落とせるようにすること。
本発明は、以上の課題を解決して、従来の欠点を解決するために発明されたものである。
【０００４】
【課題を解決するための手段】
保持部に支点を介して複数のシャフトを放射線状に広げることができるように設け、このシャフトを、広げた状態でシャフト先端部に掬い網を張設し、又、シャフトの長さを調節できるようにした浴槽内毛髪ごみ掬い網。
【０００５】
【発明の実施の形態】
以下、本発明の実施の形態について説明するが、例示は単に説明用のものであって、発明思想を限定あるいは制限を意味するものではない。
【０００６】
本発明の実施形態は、保持部（１）半周以内の範囲にある、８本の棒状シャフト（２）を、保持部（１）を持って下向きにしたとき、回動して放射線状に広がり、その先端には掬い網（４）を張設して浴槽内のごみ等を掬い上げるようにし、折り返して棒状シャフト（２）を折りたためるようにしたものである。
以上の実施形態の詳細を以下に説明する。
【０００７】
本発明の回動形態から説明すると、保持部（１）で８本の棒状シャフト（２）が環状リング（３）を介して連接され、そこから８本の棒状シャフト（２）を折りたたんだ収納状態（図２）から、放射状に広がり使用状態（図１）との、相互折り返し変更できるようにしたものである。
この放射状に広がったときの、８本の棒状シャフト（２）の放射角は、掬い網（４）の形状に合わせたものである。
【０００８】
この棒状シャフト（２）であるが、丸棒状で、支点側は環状リング（３）に引っ掛け保持できる丸型のフック状で、これと反対の先端部は丸めてホック（５）で掬い網を張設できるようにした形状である。
８本の棒状シャフト（２）の長さは、掬い網（４）の張設用の穴（６）の位置までの長さである。
【０００９】
又、掬い網（４）の大きさを調節するためには、シャフトの長さ調整可能なスライド軸（９）を使うことで可能にした。
【００１０】
以上の棒状シャフト（２）、又はスライド軸（９）は、環状リング（３）を支点として回動するものである。
【００１１】
この環状リング（３）は、丸棒を輪状にしたもので、８本の棒状シャフト（２）、又は８本のスライド軸（９）を連接して回動の支点となるものである。
【００１２】
以上のような仕組みを保つ為に、保持部（１）の開口部に、ねじ込みの蓋（８）をして環状リング（３）と棒状シャフト（２）、又はスライド軸（９）を支えるものである。
【００１３】
次に掬い網（４）は、長方形の形状で網の周辺上に棒状シャフト（２）、又は、スライド軸（９）の先端を留める張設穴（６）を８箇所設けたもので、この張設穴（６）に棒状シャフト（２）、又はスライド軸（９）の先端部穴を、ホック（５）で留めるものである。
又、掬い網（４）幅を調整して使うようにするには、予め掬い網（４）の調整許容範囲を定めた大きさにして、それに合わせることのできるスライド軸（９）に張設する。
【００１４】
次に掬い網（４）を張設するホック（５）は、凹凸の関係で結合するもので、凸状ホック（５ａ）は土台が丸盤形で中央部の軸の先端は球状である、又凹状ホック（５ｂ）も丸盤形であるが、中央に凸状ホックの球状部分を留める溝をもつ形状である。
以上のようにして掬い網（４）は、棒状シャフト（２）又は、スライド軸（９）に張設されるが、さらに掬い網上部（４）に棒状シャフト（２）又は、スライド軸（９）に添い噛ませて挟圧で保持する筒状クリップ（７）を２箇所設けた。
【００１５】
その筒状クリップ（７）は、パイプ状に縦状の切込みを入れた形状で挟圧性をもたせたものである。
【００１６】
【発明の効果】
本発明は下記のような効果がある。
まず、発明の効果を下記の通り順次説明する。
（イ）  浴槽内毛髪ごみ掬い網の必要性。
（ロ）  浴槽内毛髪ごみ掬い網の使用方。
（ハ）  製作の基本的な考え。
（ニ）  製作に工夫した点。
（ホ）  安価にするための工夫点。
【００１７】
（イ）まず、浴槽内毛髪ごみ掬い網の必要性を説明する。
お風呂に入っているとき自分のもの、あるいは家族のものであるが、毛髪などが浮かんでいるときがある、手で掴みにいっても、浮遊移動して中々掴み切れず取れるものではない、又、お風呂ネットと言う小さな製品がありますが、掬い上げる面積が小さい為に、浴槽内で何回も掬い上げなければならない、又このとき毛髪やごみ等は浮遊移動して掬えないことも多々あり取り除きは容易でない、しかし毛髪を掬う製品があれば利用者にとっては便利である、だからと言って掬い易いように大きな製品を作っても、買って持ち帰るには大きすぎて持ち帰りづらい、又、買ったとしても家で使用後浴室などに置いておくにしては邪魔になる。
このことを考えて、本発明の浴槽内毛髪ごみ掬い網は、使用するときだけ大きく広げ、使用後は小さく収納保管できようにしたもので、当然買うときは折りたたんだ小さい状態の物なのでお客さんは買い求め易く、又、持ち帰り易くしたものである。
【００１８】
（ロ）浴槽内毛髪ごみ掬い網の使用方。
本発明の浴槽内毛髪ごみ掬い網の使用方は、シャフトを下にたらした状態から、保持部の表面側を上方向に向ける、ひねり操作だけで、シャフトが自動的に放射線状に広がり共に掬い網が広がるので、その広がった状態でそのまま浴槽の中に入れて浴層の片端から湯水全体を覆うようにして、ずらしながら掬えばいいので操作も簡単で、ほぼ１回の掬い動作で毛髪などは取り除けることである。
【００１９】
そして掬い終わったら保持部を持って広がった状態で水をかければ毛髪やごみ等はスムーズに流され綺麗になり、使い終わったら大きく広がった状態から、保持部を持って保持部の表側を下に向けるように、ひねり操作をすれば折りたたんだ収納状態にすることができるので浴室の小さなスペースに置いておけるので邪魔にならない。又、網が汚れたらホックを外して網を取り外して洗うこともできるし、破れたらホックを外して簡単に交換できるようになっているものである。
【００２０】
（ハ）製作の基本的な考え。
次に、本発明の製作の基本的な考えとして、小さなものを大きく、大きくしたら小さくと、いうふうに相互に形態を変えることができるようにすることが、この製品の便利性を高めると考えて、未使用時は小さい状態で収納保管、使用時は大きくして使うことができるように発明したものである。
【００２１】
（ニ）製作に工夫した点。
次に、製作に工夫した点を説明すると、この実例では、本発明の浴槽内毛髪ごみ掬い網の複数のシャフトの収集状態の保持部分を持って、シャフトを下にたらした状態から保持部の表面側を上に向ける１動作で自動的に複数のシャフトは支点を介して回動し、放射線状態に広がる様に作ったシャフトの溝を通り放射線状態に広がり、又、逆に保持部の表面側を下に向ければ折り返してシャフトが収集状態にできるようにしたもので、この複数のシャフトに掬い網を張設することによって、未使用状態の畳まれている掬い網を使用状態に広げ、折り返して畳んで未使用状態にしたりすることができるように工夫したもので、大きく広がったものを小さく収納できるようにしたことが利用者にとっても、浴室の小さなスペースに置いておけるので邪魔にならないようにしたものである。
【００２２】
次に（ホ）安価にするための工夫点は、お客が説明書を見て簡単に組み立てることができる構造にしたものであるので、あえて生産工場では組み立てて出荷する必要もなく、当然、専用の組み立て機械の設備は不要で生産コストを下げることができるようにしたので、安い価格で生産販売できるものである。
【図面の簡単な説明】
【図１】本発明の、浴槽内毛髪ごみ掬い網を広げたときの斜視図である。
【図２】本発明の、浴槽内毛髪ごみ掬い網を収納したときの斜視図である。
【図３】本発明の、浴槽内毛髪ごみ掬い網の保持部分の断面斜視図である。
【図４】本発明の、浴槽内毛髪ごみ掬い網の、棒シャフトの斜視図である。
【図５】本発明の、浴槽内毛髪ごみ掬い網の、スライド軸の斜視図である。
【図６】本発明の、浴槽内毛髪ごみ掬い網の使用状態の斜視図である。
【符号の説明】
１  保持部    ２  棒状シャフト    ３  環状リング    ４  掬い網
５  ホック    ５ａ  凸状ホック    ５ｂ  凹状ホック
６  張設穴    ７  筒状クリップ    ８  蓋    ９  スライド軸
【図１】
2004209000.tif 000003
【図２】
2004209000.tif 000004
【図３】
2004209000.tif 000005
【図４】
2004209000.tif 000006
【図５】
2004209000.tif 000007
【図６】
2004209000.tif 000008